(57)【要約】【課題】通信ログや端末情報を収集してソフトウェアの修正をしなくても確立要求に対応した通信経路を確立させることができ、試験効率を向上させることができる移動体端末試験装置を提供すること。【解決手段】ユーザからの操作入力を受け付ける入力部１４１と、試験条件の設定画面や試験実行時の各種情報などを表示する表示部１４２と、移動体端末２からのDefault Bearerの確立要求を予め設定された所定時間の間に複数受信したとき、その複数の確立要求に設定されたＡＰＮを一覧にして表示部１４２に表示して、ＶｏＬＴＥ用のＡＰＮを入力部１４１により指定させ、指定されたＡＰＮを記憶しておき、次に移動体端末２からのDefault Bearerの確立要求があったとき、記憶されているＡＰＮが設定された確立要求をＩＭＳサーバ接続用のDefault Bearerの確立要求として処理を行なう制御部１５と、を備える。【選択図】図１
2017152813.tif 000002
【特許請求の範囲】
【請求項１】
設定された試験条件に従って移動体通信の基地局を擬似して移動体端末（２）を試験する移動体端末試験装置（１）であって、
画像を表示する表示部（１４２）と、
前記移動体端末から通信経路の確立要求を所定時間の間に複数受信したとき、それぞれの確立要求に設定された所定の情報の一覧を前記表示部に表示させて前記一覧の中から一つを選択させ、選択された前記所定の情報を記憶しておき、その後に受信した前記通信経路の確立要求のうち記憶された前記所定の情報が設定された前記確立要求の前記通信経路を予め設定された通信用に使用する制御部（１５）と、を備える移動体端末試験装置。
【請求項２】
前記所定の情報は、前記通信経路の用途を示す情報である請求項１に記載の移動体端末試験装置。
【請求項３】
前記通信経路の用途を示す情報は、ＡＰＮである請求項２に記載の移動体端末試験装置。
【請求項４】
前記予め設定された通信は、ＩＭＳサーバとの通信である請求項１から３のいずれかに記載の移動体端末試験装置。
【請求項５】
設定された試験条件に従って移動体通信の基地局を擬似して移動体端末（２）を試験する移動体端末試験装置（１）の通信経路確立方法であって、
前記移動体端末から通信経路の確立要求を所定時間の間に複数受信したとき、それぞれの確立要求に設定された所定の情報の一覧を表示させるステップと、
前記一覧の中から一つを選択させるステップと、
選択された前記所定の情報を記憶しておくステップと、
その後に受信した前記通信経路の確立要求のうち記憶された前記所定の情報が設定された前記確立要求の前記通信経路を予め設定された通信用に使用するステップと、を備える通信経路確立方法。
【発明の詳細な説明】
【技術分野】
【０００１】
本発明は、移動体通信端末の試験を行なう移動体端末試験装置に関する。
【背景技術】
【０００２】
携帯電話やデータ通信端末等の移動体通信端末を開発した場合、この開発した移動体通信端末が正常に通信を行なえるか否かを試験する必要がある。このため、実際の基地局の機能を擬似する擬似基地局として動作する試験装置に試験対象の移動体通信端末を接続し、試験装置と移動体通信端末との間で通信を行なわせ、この通信の内容を確認する試験を行なっている。
【０００３】
移動体通信端末では、近年、ＬＴＥ（Long Term Evolution）という規格に対応し、高速にデータ通信を行なえる端末が普及してきている。
【０００４】
特許文献１には、ＬＴＥに対応した移動体通信端末を試験することができる試験装置が記載されている。
【先行技術文献】
【特許文献】
【０００５】
【特許文献１】特開２０１４−２７６５６号公報
【発明の概要】
【発明が解決しようとする課題】
【０００６】
ＬＴＥでは、高速なデータ通信が可能であるが、音声通話のための専用回線を想定していない。このため、ＬＴＥにより音声データを送受信して音声通話を行なわせるＶｏＬＴＥ（Voice over Long Term Evolution）が規格化され、使用されてきている。
【０００７】
ＶｏＬＴＥを使う場合、移動体通信端末は、通常のインターネット接続用とは別の通信経路（Default Bearer または Dedicated Bearer）を確立して、ＶｏＬＴＥを制御するＩＭＳ（IP Multimedia Subsystem）と通信を行なう。
【０００８】
移動体通信端末は、インターネット接続用とＶｏＬＴＥ用の通信経路では、異なるＡＰＮ（Access Point Name）で通信経路の確立を要求する。基地局では、移動体通信端末が送信してきたＡＰＮを元に接続先を決定している。
【０００９】
このようなＶｏＬＴＥの試験を行なう場合、試験装置は、例えば、インターネット接続用のサーバやＶｏＬＴＥ接続用のサーバを擬似して、移動体通信端末と通信して試験を行なう。
【００１０】
このような場合、試験装置は、移動体通信端末が送信してきたＡＰＮにより接続先のサーバを選択したり、ＩＰ（Internet Protocol）アドレスを割り当てたりする。
【００１１】
しかしながら、ＡＰＮは、移動体通信システムの事業者や移動体通信端末の使用者が自由に設定できるため、試験装置では、どのＡＰＮがＶｏＬＴＥ用のＡＰＮか判別することができない。
【００１２】
このため、従来では、ＶｏＬＴＥ用のＡＰＮで使用される頻度が高い「ｉｍｓ」というＡＰＮをＶｏＬＴＥ用のＡＰＮと判定したり、通信経路の確立要求の受信順によりＶｏＬＴＥ用の通信経路を決めたりして、処理していた。
【００１３】
このような処理では、ＶｏＬＴＥ用のＡＰＮとして「ｉｍｓ」ではないＡＰＮを送信してきた場合や、設定された順番と異なる順番で通信経路の確立要求を送信してきた場合、ＶｏＬＴＥ用の通信経路を正しく確立することができず、通信エラー等で試験が途中で失敗してしまう。
【００１４】
このような場合、通信ログや端末情報を収集して移動体通信端末が送信しているＡＰＮを確認したり、通信経路の確立要求の送信順を確認したりして、その状況に合わせて試験装置のソフトウェアの修正を行なわなければならず、試験実施の効率が悪かった。
【００１５】
そこで、本発明は、通信ログや端末情報を収集してソフトウェアの修正をしなくても確立要求に対応した通信経路を確立させることができ、試験効率を向上させることができる移動体端末試験装置を提供することを目的としている。
【課題を解決するための手段】
【００１６】
本発明の移動体端末試験装置は、設定された試験条件に従って移動体通信の基地局を擬似して移動体端末を試験する移動体端末試験装置であって、画像を表示する表示部と、前記移動体端末から通信経路の確立要求を所定時間の間に複数受信したとき、それぞれの確立要求に設定された所定の情報の一覧を前記表示部に表示させて前記一覧の中から一つを選択させ、選択された前記所定の情報を記憶しておき、その後に受信した前記通信経路の確立要求のうち記憶された前記所定の情報が設定された前記確立要求の前記通信経路を予め設定された通信用に使用する制御部と、を備えるものである。
【００１７】
この構成により、移動体端末が送信した通信経路の確立要求の所定の情報の一覧が表示され、一覧から選択された一つの情報が記憶され、その後記憶された所定の情報と同じ情報が設定された確立要求の通信経路は予め設定された通信に使用される。このため、通信ログや端末情報を収集してソフトウェアの修正をしなくても確立要求に対応した通信経路を確立させることができ、試験効率を向上させることができる。
【００１８】
また、本発明の移動体端末試験装置において、前記所定の情報は、前記通信経路の用途を示す情報である。
【００１９】
この構成により、通信経路の用途を示す情報が一覧表示され、選択された通信経路の用途を示す情報が記憶され、その後記憶された通信経路の用途を示す情報が設定された確立要求の通信経路は予め設定された通信に使用される。このため、用途を示す情報により予め設定された通信に使用したい通信経路を選択させることで、確立要求に対応した通信経路を確立させることができ、試験効率を向上させることができる。
【００２０】
また、本発明の移動体端末試験装置において、前記通信経路の用途を示す情報は、ＡＰＮである。
【００２１】
この構成により、ＡＰＮが一覧表示され、選択されたＡＰＮが記憶され、その後記憶されたＡＰＮが設定された確立要求の通信経路は予め設定された通信に使用される。このため、ＡＰＮにより予め設定された通信に使用したい通信経路を選択させることで、確立要求に対応した通信経路を確立させることができ、試験効率を向上させることができる。
【００２２】
また、本発明の移動体端末試験装置において、前記予め設定された通信は、ＩＭＳサーバとの通信である。
【００２３】
この構成により、移動体端末が送信した通信経路の確立要求の所定の情報の一覧が表示され、一覧から選択された一つの情報が記憶され、その後記憶された所定の情報と同じ情報が設定された確立要求の通信経路はＩＭＳサーバとの通信に使用される。このため、所定の情報によりＩＭＳサーバとの通信に使用したい通信経路を選択させることで、ＶｏＬＴＥ用の通信経路を確立させることができ、試験効率を向上させることができる。
【００２４】
また、本発明の移動体端末試験装置の通信経路確立方法は、設定された試験条件に従って移動体通信の基地局を擬似して移動体端末を試験する移動体端末試験装置の通信経路確立方法であって、前記移動体端末から通信経路の確立要求を所定時間の間に複数受信したとき、それぞれの確立要求に設定された所定の情報の一覧を表示させるステップと、前記一覧の中から一つを選択させるステップと、選択された前記所定の情報を記憶しておくステップと、その後に受信した前記通信経路の確立要求のうち記憶された前記所定の情報が設定された前記確立要求の前記通信経路を予め設定された通信用に使用するステップと、を備えるものである。
【００２５】
この構成により、移動体端末が送信した通信経路の確立要求の所定の情報の一覧が表示され、一覧から選択された一つの情報が記憶され、その後記憶された所定の情報と同じ情報が設定された確立要求の通信経路は予め設定された通信に使用される。このため、通信ログや端末情報を収集してソフトウェアの修正をしなくても確立要求に対応した通信経路を確立させることができ、試験効率を向上させることができる。
【発明の効果】
【００２６】
本発明は、試験効率を向上させることができる移動体端末試験装置を提供することができる。
【図面の簡単な説明】
【００２７】
【図１】図１は、本発明の一実施形態に係る移動体端末試験装置のブロック図である。
【図２】図２は、本発明の一実施形態に係る移動体端末試験装置のＶｏＬＴＥ試験時の接続形態の例を示す図である。
【図３】図３は、本発明の一実施形態に係る移動体端末試験装置のＶｏＬＴＥ試験手順を示すシーケンス図である。
【図４】図４は、本発明の一実施形態に係る移動体端末試験装置のＡＰＮの一覧表示の例を示す図である。
【発明を実施するための形態】
【００２８】
以下、図面を参照して、本発明の実施形態に係る移動体端末試験装置について詳細に説明する。
【００２９】
図１において、本発明の一実施形態に係る移動体端末試験装置１は、擬似基地局として同軸ケーブル等を介して有線で移動体端末２と無線信号を送受信するようになっている。なお、移動体端末試験装置１は、アンテナを介して無線で移動体端末２と信号を送受信するようにしてもよい。
【００３０】
移動体端末試験装置１は、無線信号処理部１０と、無線ハードウェア制御部１１と、コールプロセッシング部１２と、サーバ擬似部１３と、ユーザインターフェース部１４と、制御部１５とを含んで構成されている。
【００３１】
無線信号処理部１０は、移動体端末２との間で無線信号を送受信するものである。無線信号処理部１０は、コールプロセッシング部１２及びサーバ擬似部１３の送信データを、符号化や、変調、周波数変換などして無線信号を生成して送信する。また、無線信号処理部１０は、移動体端末２から受信した無線信号を、周波数変換や、復調、復号などしてコールプロセッシング部１２及びサーバ擬似部１３に出力する。
【００３２】
無線ハードウェア制御部１１は、無線信号処理部１０を制御して、無線信号の送受信レベルや周波数などを制御するものである。
【００３３】
コールプロセッシング部１２は、無線信号処理部１０及び無線ハードウェア制御部１１と接続され、試験条件に応じて設定された周波数や多重化方式などに従って無線ハードウェア制御部１１に設定信号を送信して、無線信号処理部１０に試験条件に適合した無線信号を送信させる。また、コールプロセッシング部１２は、無線信号処理部１０を介して、移動体端末２との間で無線信号を送受信して、試験条件に適合した呼接続を移動体端末２との間で行なったり、試験条件に対応した呼制御を行なったりする。
【００３４】
サーバ擬似部１３は、移動体端末２が基地局を介して接続する各種サーバ装置を擬似する。サーバ擬似部１３は、例えば、パケットデータネットワーク（以下、「ＰＤＮ」ともいう）のＤＮＳ（Domain Name System）サーバを擬似することによりＰＤＮを擬似して、移動体端末２のパケットデータネットワークとの接続の試験を行なう。
【００３５】
サーバ擬似部１３は、例えば、ＶｏＬＴＥを制御するＩＭＳサーバを擬似することによりＩＭＳを擬似して、移動体端末２のＶｏＬＴＥ機能の試験を行なう。
【００３６】
ユーザインターフェース部１４は、ユーザからの操作入力を受け付ける入力部１４１と、試験条件の設定画面や試験実行時の各種情報などを表示する表示部１４２とを備えている。入力部１４１は、タッチパッドやキーボードやプッシュボタンなどによって構成される。表示部１４２は、液晶表示装置などによって構成される。
【００３７】
制御部１５は、図示しないＣＰＵ（Central Processing Unit）と、ＲＡＭ（Random Access Memory）と、ＲＯＭ（Read Only Memory）と、ハードディスク装置と、入出力ポートとを備えたコンピュータユニットによって構成されている。
【００３８】
このコンピュータユニットのＲＯＭ及びハードディスク装置には、各種制御定数や各種マップ等とともに、当該コンピュータユニットを制御部１５として機能させるためのプログラムが記憶されている。すなわち、ＣＰＵがＲＯＭ及びハードディスク装置に記憶されたプログラムを実行することにより、当該コンピュータユニットは、制御部１５として機能する。
【００３９】
制御部１５の入出力ポートには、無線ハードウェア制御部１１、コールプロセッシング部１２、サーバ擬似部１３、ユーザインターフェース部１４が接続されている。
【００４０】
なお、本実施形態において、無線ハードウェア制御部１１、コールプロセッシング部１２、サーバ擬似部１３は、各処理を実行するようにプログラミングされたＤＳＰ（Digital Signal Processor）等のプロセッサによってそれぞれ構成されている。また、無線信号処理部１０は、通信モジュールによって構成されている。
【００４１】
制御部１５は、表示部１４２に表示させた試験条件設定画面に従って入力部１４１による入力操作により設定された試験条件に基づいて、無線ハードウェア制御部１１に設定信号を送信して無線信号処理部１０が送受信する無線信号の周波数や多重化方式を制御して、移動体端末２と通信を行なわせる。制御部１５は、設定された試験条件をコールプロセッシング部１２に通知して、設定された試験条件に適合した通信を確立させる。
【００４２】
また、制御部１５は、入力部１４１に入力された指示に従って、無線ハードウェア制御部１１及びコールプロセッシング部１２、サーバ擬似部１３に信号を送信して、試験用の呼制御などを行なわせるようになっている。
【００４３】
このような移動体端末試験装置１において、ＶｏＬＴＥの試験を行なう場合、図２に示すように、通常確立されるＰＤＮ接続用のDefault Bearer(1st)に加え、ＩＭＳサーバ接続用のDefault Bearer(2nd)と、音声データの送受信を行なうDedicated Bearer(2nd.1)が確立される。
【００４４】
２つのDefault Bearerは、移動体端末２の電源投入後、基地局との通信が可能になってから、移動体端末２からの確立要求により確立される。Default Bearerの確立要求は、連続して送信される。Dedicated Bearerは、移動体端末２からＶｏＬＴＥの発信要求があると確立される。
【００４５】
この２つのDefault BearerのどちらがＰＤＮ接続用でどちらがＩＭＳサーバ接続用かを正しく判定し、移動体端末２との間のDefault Bearerの確立を行なわないと、その後の通信がエラーとなり、試験が途中で失敗してしまう。
【００４６】
そこで、制御部１５は、移動体端末２からのDefault Bearerの確立要求を予め設定された所定時間の間に複数受信したとき、その複数の確立要求に設定されたＡＰＮを一覧にして表示部１４２に表示させて、例えば、ＶｏＬＴＥ用のＡＰＮを入力部１４１により選択させる。
【００４７】
制御部１５は、選択されたＡＰＮを記憶しておき、次に移動体端末２からのDefault Bearerの確立要求があったとき、記憶されているＡＰＮが設定された確立要求をＩＭＳサーバ接続用のDefault Bearerの確立要求として処理を行なう。なお、サーバ擬似部１３が図２中の破線で囲んだ領域を構成する。
【００４８】
このように、移動体端末２から送信される複数のDefault Bearerの確立要求に設定されているＡＰＮを一覧表示し、選択されたＡＰＮをＶｏＬＴＥ用のＡＰＮとして記憶しているため、再度Default Bearerの確立要求を受信したときには、ＶｏＬＴＥ用のＡＰＮを正しく判断して、正常に処理を行なうことができる。
【００４９】
なお、本実施形態においては、ＡＰＮを用いてＰＤＮ接続用かＩＭＳサーバ接続用かを判定したが、ＰＤＮ接続用かＩＭＳサーバ接続用かを判定可能であれば他の情報を用いてもよい。
【００５０】
また、ＡＰＮの一覧からＶｏＬＴＥ用のＡＰＮを選択させたが、ＰＤＮ接続用のＡＰＮを選択させてもよい。
【００５１】
このような移動体端末試験装置１の移動体端末２のＶｏＬＴＥ機能の試験手順について説明する。
【００５２】
制御部１５は、ユーザによる入力部１４１の操作によりサーバ擬似部１３の試験条件を設定することが選択されると、擬似するサーバを選択させる画面を表示部１４２に表示させて擬似するサーバを選択させる。
【００５３】
制御部１５は、擬似するサーバが選択されると、選択されたサーバのパラメータを設定させる画面を表示部１４２に表示させて、パラメータを設定させる。
【００５４】
制御部１５は、例えば、ＰＤＮのＤＮＳサーバを擬似することが選択されると、ＤＮＳサーバのＩＰアドレスや移動体端末２に割り当てるＩＰアドレス、擬似するＰＤＮの条件などを設定させる。
【００５５】
制御部１５は、例えば、ＶｏＬＴＥのＩＭＳサーバを擬似することが選択されると、ＩＭＳサーバのＩＰアドレスや移動体端末２に割り当てるＩＰアドレス、擬似するＩＭＳの条件などを設定させる。
【００５６】
このような試験条件が設定された後、移動体端末試験装置１が、移動体端末２と有線で接続され、入力部１４１への入力により試験の実行が選択されると、制御部１５は、無線信号処理部１０に報知情報の内容や位置登録処理における送信情報などを送信し、擬似基地局としての動作を開始させる。
【００５７】
また、制御部１５は、サーバ擬似部１３に設定されたサーバのパラメータを送信して試験条件として選択されたサーバの擬似を開始させる。
【００５８】
サーバ擬似部１３は、受信したパラメータに基づいて、ＤＮＳサーバやＩＭＳサーバの擬似を開始する。
【００５９】
その後、移動体端末２と移動体端末試験装置１が接続された状態で、移動体端末２の電源がオンされると、移動体端末２から無線通信の確立や位置登録信号の送信が行なわれ、移動体端末２と移動体端末試験装置１が通信可能な状態になる。
【００６０】
その後、図３に示すように、移動体端末２からDefault Bearerの確立要求が行なわれる（ステップＳ１）。このとき、移動体端末２は、確立要求に接続先のＡＰＮを設定してくる。
【００６１】
制御部１５は、移動体端末２から受信したDefault Bearerの確立要求に設定されたＡＰＮを一覧にして表示部１４２に表示して、ＶｏＬＴＥ用のＡＰＮを入力部１４１により指定させる。
【００６２】
制御部１５は、入力部１４１により指定されたＡＰＮをＶｏＬＴＥ用のＡＰＮとして、例えば、ＲＡＭに記憶しておく。
【００６３】
その後、移動体端末２を再起動させて、無線信号の確立や位置登録信号の送信が行なわれ、Default Bearerの確立要求が行なわれたとき、ＲＡＭに記憶しているＡＰＮが設定されたDefault Bearerの確立要求をＶｏＬＴＥ用のDefault Bearerとして移動体端末２のＩＰアドレスの割り当てや接続先サーバのＩＰアドレスの通知などを行なってDefault Bearerを確立する（ステップＳ１）。
【００６４】
その後、移動体端末２がSIP(Session Initiation Protocol) Register要求をＩＭＳサーバに送信し（ステップＳ２）、それに対し、ＩＭＳサーバが登録完了（200 OK）を送信する（ステップＳ３）。
【００６５】
移動体端末２で音声通信の発呼処理が行なわれると、移動体端末２からＩＭＳサーバにＩＮＶＩＴＥ信号が送信され（ステップＳ４）、同時に、音声通信用のDedicated Bearerが確立される（ステップＳ５）。
【００６６】
その後、移動体端末２からRinging信号が送信され（ステップＳ６）、それに対し、「200 OK」を受信すると（ステップＳ７）、セッションが確立し、ＶｏＬＴＥの音声データ通信が開始される（ステップＳ８）。
【００６７】
制御部１５は、例えば、図４に示すような画面を表示部１４２に表示する。この画面は、主に試験パラメータ項目、設定値などの情報を表示するパラメータ領域１０１と、主に試験結果を表示する試験結果領域１０２とで構成される。この画面中に移動体端末２から受信したDefault Bearerの確立要求に設定されたＡＰＮを一覧表示する。
【００６８】
制御部１５は、Default Bearerの確立要求に設定されたＡＰＮを試験結果領域１０２中にＡＰＮ表示領域１０３として一覧表示させる。同時に、制御部１５は、パラメータ領域１０１中にＶｏＬＴＥ用ＡＰＮ選択部１０４としてDefault Bearerの確立要求に設定されたＡＰＮを一覧表示させる。
【００６９】
制御部１５は、ＶｏＬＴＥ用ＡＰＮ選択部１０４に表示したＡＰＮのいずれかが、入力部１４１のタッチパッドへのタッチやキーボードの操作により選択されると、選択されたＡＰＮをＶｏＬＴＥ用のＡＰＮとしてＲＡＭに記憶し、表示部１４２のＶｏＬＴＥ用ＡＰＮ表示部１０５に表示させる。
【００７０】
図４では、Default Bearerの確立要求に設定されたＡＰＮとして「ＸＹＺＩＭＳ」と「ＸＹＺＩＮＴＥＲＮＥＴ」の２つのＡＰＮが表示され、ＶｏＬＴＥ用のＡＰＮとして「ＸＹＺＩＭＳ」が選択されている。なお、図４の表示形態が一例であることは言うまでもない。
【００７１】
このように、上述の実施形態では、移動体端末２からのDefault Bearerの確立要求を予め設定された所定時間の間に複数受信したとき、その複数の確立要求に設定されたＡＰＮを一覧にして表示部１４２に表示して、ＶｏＬＴＥ用のＡＰＮを入力部１４１により指定させ、指定されたＡＰＮを記憶しておき、次に移動体端末２からのDefault Bearerの確立要求があったとき、記憶されているＡＰＮが設定された確立要求をＩＭＳサーバ接続用のDefault Bearerの確立要求として処理を行なう制御部１５を備える。
【００７２】
これにより、移動体端末２からのDefault Bearerの確立要求に設定されたＡＰＮが一覧に表示され、その中からＶｏＬＴＥ用のＡＰＮを指定させることで、その後移動体端末２からのDefault Bearerの確立要求があったとき、指定されたＡＰＮを設定された確立要求がＩＭＳサーバ接続用のDefault Bearerの確立要求として処理される。このため、通信ログや端末情報を収集してソフトウェアの修正をしなくてもＶｏＬＴＥ用の通信経路を確立させることができ、試験効率を向上させることができる。
【００７３】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００７４】
１  移動体端末試験装置
２  移動体端末
１０  無線信号処理部
１１  無線ハードウェア制御部
１２  コールプロセッシング部
１３  サーバ擬似部
１４  ユーザインターフェース部
１５  制御部
１０１  パラメータ領域
１０２  試験結果領域
１０３  ＡＰＮ表示領域
１０４  ＶｏＬＴＥ用ＡＰＮ選択部
１０５  ＶｏＬＴＥ用ＡＰＮ表示部
１４１  入力部
１４２  表示部
【図１】
2017152813.tif 000003
【図２】
2017152813.tif 000004
【図３】
2017152813.tif 000005
【図４】
2017152813.tif 000006